(57)【特許請求の範囲】
【請求項１】
表面に透明保護シートが形成された体積型のホログラムが基材に貼付されてなるホログラム貼付体であって、透明保護シートと体積型のホログラムとを接着する接着層、体積型のホログラムと基材とを接着する接着層の２つの接着層は、接着力の異なる接着剤を用い、それらの接着力の異なる接着剤を互いに異なる部分に形成するようにして、接着力に分布が設けられてなることを特徴とするホログラム貼付体。
【発明の詳細な説明】
【０００１】
【発明の属する技術分野】
本発明は、身分証明書、クレジットカード等に適用して好適な、基材にホログラムが貼付されているホログラム貼付体に関する。
【０００２】
【従来の技術及び発明が解決しようとする課題】
身分証明書やクレジットカード等の情報担持体には氏名をはじめとして種々の情報が記録されており、重要なものであるので偽造されないことが要求され、そのための一つの手段としてホログラムを貼付したものが用いられるようになってきているが、ホログラムを剥がしてコピーしたり、他のものに貼り替える等の手段によって偽造される可能性があった。
【０００３】
本発明は、上記の課題を解決するものであって、偽造防止の能力を向上させることができるホログラムが貼付された情報担持体を提供することを目的とするものである。
【０００４】
【課題を解決するための手段】
上記の目的を達成するために、本発明のホログラム貼付体は、表面に透明保護シートが形成された体積型のホログラムが基材に貼付されてなるホログラム貼付体であって、透明保護シートと体積型のホログラムとを接着する接着層、体積型のホログラムと基材とを接着する接着層の２つの接着層は、接着力の異なる接着剤を用い、それらの接着力の異なる接着剤を互いに異なる部分に形成するようにして、接着力に分布が設けられてなることを特徴とする。
【０００５】
【発明の実施の形態】
以下、図面を参照しつつ実施の形態について説明する。
図１（ａ）は本発明に係るホログラム貼付体の第１の実施形態を示す断面図であり、図中、１は基材、２は接着層、３はホログラム、４は接着層、５は透明保護シートを示す。
【０００６】
基材１は当該貼付体の主体となるものであって、適宜な厚みを有する紙、あるいはプラスティック等で形成される。また、図示してはいないが、この基材１には、氏名、年齢、性別、識別番号等、当該貼付体の所持者に関する所定の個別情報が記録されている。また、基材１には当該貼付体の保持者の顔写真が貼付されていてもよい。これらの個別情報は、ホログラム３が貼付される箇所に記録されていてもよく、ホログラム３が貼付される箇所以外の箇所に記録されていてもよい。要するに、個別情報は必要に応じて基材１の適宜な箇所に記録することができるのである。
【０００７】
これら個別情報の記録は、例えば、トナー、熱溶融型の転写リボン、タイプ用のリボン、印刷インキ等を使用する手段を用いて、手書き、タイプ、プリンタというような公知の手段で記録することができる。また、磁気記録によって記録することもできる。更には、基材１がプラスティックや金属で形成される場合にはエンボス加工によって記録することもできる。この情報担持体は身分証明書であってもよく、クレジットカードでもよく、一般に所定の個別情報が記録されたものであってよい。
【０００８】
そして、この基材１の所定の箇所にはホログラム３が接着層２によって貼付され、ホログラム３の表面には透明保護シート５が接着層４によって貼付されている。ここで、透明保護シート５としては、例えばポリエチレンフィルム（ＰＥ）、ポリプロピレンフィルム（ＰＰ）、エチレン−ビニルアルコール共重合フィルム（ＥＶＯＨ）、ポリビニルアルコールフィルム（ＰＶＡ）、ポリメチルメタクリレートフィルム（ＰＭＭＰ）、ポリエーテルスルホンフィルム（ＰＥＳ）、ポリアミドフィルム（ナイロンフィルム）、テトラフルオロエチレン−パーフルオロアルキルビニルエーテル共重合フィルム（ＰＦＡ）等を用いることができる。
【０００９】
ホログラム３は、表面に凹凸があるのは望ましくないので、反射型で体積型のホログラム（リップマンホログラム）か、または透過型で体積型のホログラムを用いるのがよい。
【００１０】
ここで、リップマンホログラムについて説明すると次のようである。リップマンホログラムは、図２（ａ）に示すような配置で記録され、図２（ｂ）に示すような原理で再生されるものである。リップマンホログラムの記録は、フォトポリマー、銀塩感光乳剤のような厚みのあるホログラム感材１０の片面から記録物体Ｏの情報を持ったコヒーレントな物体光１１を入射させ、同時に同じ波長のコヒーレントな参照光１２を反対側から所定角度で入射させると、物体光１１と参照光１２はホログラム感材１０中で干渉してリップマンホログラム（体積型のホログラム干渉縞）が記録される。このホログラムの再生に際しては、リップマンホログラムが記録されたホログラム記録体２０（ホログラム感材１０）に、記録の時の参照光１２と同じ方向から再生照明光２２を照射すると、入射光は記録された体積型のホログラム干渉縞により回折され、その回折光２３は記録物体Ｏの位置から発する光と同じ方向に回折され、元の記録物体Ｏの位置にその再生像Ｏ′を再生する。または、記録の時の参照光１２と反対に進む再生照明光２２を裏面に当てると、元の記録物体Ｏの位置にその再生像を再生する。何れにしても、リップマンホログラム２は、記録された立体物あるいは平面物の絵柄の再生像を所定の空間に再生するものである。
【００１１】
このようなリップマンホログラムの特徴は、室内照明光等の環境光によって再生可能であること、波長選択性があること、角度選択性があること、立体物が記録再生できること、多重記録ができること等である。
【００１２】
したがって、図１（ａ）のホログラム３としてリップマンホログラムを用いた場合には、照明光により、リップマンホログラムに記録された絵柄が空中に浮いた特定の色付き絵柄として観察されることになる。
【００１３】
また、透過型で体積型のホログラムについて説明すると次のようである。透過型で体積型のホログラムは、図３（ａ）に示すような配置で記録され、図３（ｂ）に示すような原理で再生されるものである。画像の記録は、厚みのあるホログラム感材３０の片面から記録物体Ｏの情報を持ったコヒーレントな物体光３１を入射させ、同時に同じ波長のコヒーレントな参照光３２を同じ側から所定角度で入射させることによって行う。これによって、物体光３１と参照光３２はホログラム感材３０中で干渉して体積型のホログラム干渉縞が記録される。
【００１４】
ホログラムの再生に際しては、画像が記録されたホログラム記録体４０（ホログラム感材３０）に、記録の時の参照光３２と同じ方向から再生照明光３２を照射する。これによって、入射光は記録された体積型のホログラム干渉縞により回折され、その回折光３３は記録物体Ｏの位置から発する光と同じ方向に回折されて、元の記録物体Ｏの位置にその再生像Ｏ′を再生する。または、記録の時の参照光３２と反対に進む再生照明光３２を裏面に当てると、元の記録物体Ｏの位置にその再生像が再生される。
【００１５】
更に、ホログラム３としては、透過型で体積型のホログラムの背面に反射層を蒸着して実質的に反射型としたものを用いることも可能である。
【００１６】
さて、接着層２、４は一つの種類の接着剤が均一に塗布されて形成されているのではなく、その面内の接着力に分布が設けられている。即ち、接着層２、４には接着力が強いところと弱いところが設けられている。
【００１７】
図１（ｂ）にその様子を示す。図１（ｂ）は図１（ａ）の接着層４をＡで示す方向から見た図であり、例えばハッチングを施した部分Ｓは接着力の強い接着剤で形成されており、ハッチングを施していない部分Ｗは接着力の弱い接着剤で形成されている。つまり、この例では接着層４の面内の接着力の分布はストライプ状に形成されていることになる。ただし、接着剤自身は透明または同色であるので、図１（ｂ）に示すように接着力の分布がストライプ状に形成されていることは目でみただけでは分からないものである。
【００１８】
接着層２についても同様であるが、図１（ａ）に示すように、接着層４の接着力が強い部分に対向する部分は接着力が弱い接着剤で形成し、接着層４の接着力が弱い部分に対向する部分は接着力が強い接着剤で形成するようにするのがよい。
【００１９】
ところで、接着剤としては、例えば天然ゴム系、再生ゴム系、クロロプレンゴム系、ニトリルゴム系、スチレン・ブタジエンゴム系、熱可塑性エラストマー系等のエラストマー系接着剤、また、エポキシ樹脂系、ポリウレタン系等の合成樹脂系接着剤、反応型アクリル系、シアノアクリレート系等の化学反応型接着剤、その他、ＵＶ硬化型接着剤、ＥＢ硬化型接着剤、更に、エチレン・酢酸ビニル共重合樹脂系ホットメルト系、ポリアミド系、ポリエステル系、熱可塑性エラストマー系、反応ホットメルト系等のホットメルト系接着剤、また、水性接着剤である水溶性接着剤、エマルジョン系接着剤、ラテックス系接着剤、更に無機系接着剤等種々のものが知られているが、接着剤の接着力に差異を付けるには接着剤の組成、その組成比を変えればよい。
【００２０】
具体的には、例えば、アクリル系の接着剤とシリコーン系の接着剤をパターンコートすることによって接着層２、４の面内の接着力に分布を持たせることができる。また、接着性を向上させるものとして知られているタッキファイアー樹脂の添加量を加減することによっても接着力に差異を付けることができる。
【００２１】
以上の構成によれば、例えば図１（ａ）のＢで示す方向からホログラム３を剥がそうとすると、ホログラム３は接着力の強い方に引かれるので、図４に示すようにホログラム３が破壊されてしまうことになる。なお、図４では接着層２、４のハッチングを施した部分Ｓと施していない部分Ｗとでは前者の接着力が強くなされているものとしている。
【００２２】
このようにホログラム３を剥がすとホログラム３が破壊されたり、あるいは破壊されない場合にも変形してしまうので、これを用いてコピーしたり、他のものに貼り替えた場合にも容易に偽造されたものであることを判別できる。
【００２３】
以上のようであるので、このホログラム貼付体によれば偽造防止の能力を従来に比して大幅に向上させることができるものである。
【００２４】
以上、第１の実施形態について説明したが、次に他の実施形態について説明する。なお、以下においては図１に示すものと同じものには同一の符号を付して重複する説明を省略する。
【００２５】
図５は第２の実施形態を示す断面図であり、図５においては接着層６は一つの種類の接着剤が均一に塗布されている。その他は図１（ａ）に示すと同じである。
【００２６】
また、図６は第３の実施形態を示す断面図であり、図６においては接着層７は一つの種類の接着剤が均一に塗布されている。その他は図１（ａ）に示すと同じである。
【００２７】
つまり、二つの接着層があるので、両方の接着層の面内において接着力に分布を付けるようにしてもよく、何れか一方の接着層の面内で接着力に分布を付けるようにしてもよいものである。
【００３２】
以上、本発明の実施形態について説明したが、本発明は上記実施形態に限定されるものではなく種々の変形が可能である。例えば、接着層の面内の接着力の分布のパターンは上述した実施形態で示したものに限るのではなく、任意に定めることができる。
【図面の簡単な説明】
【図１】本発明に係るホログラム貼付体の第１の実施形態を示す図である。
【図２】リップマンホログラムの記録／再生方法を説明するための図である。
【図３】透過型で体積型のホログラムの記録／再生方法を説明するための図である。
【図４】図１（ａ）に示す構成においてＢで示す方向からホログラム３を剥がしたときの様子を説明するための図である。
【図５】本発明に係るホログラム貼付体の第２の実施形態を示す図である。
【図６】本発明に係るホログラム貼付体の第３の実施形態を示す図である。
【符号の説明】
１…基材
２、４、６、７、８、９…接着層
３…ホログラム
５…透明保護シート
【図１】
0003570593.tif 000002
【図２】
0003570593.tif 000003
【図３】
0003570593.tif 000004
【図４】
0003570593.tif 000005
【図５】
0003570593.tif 000006
【図６】
0003570593.tif 000007